(57)【要約】【課題】光輝性色材を含む複数の色材の色材量により印刷される目標色画像を表示装置上に表示させる際に、単一方向からの測色値を用いて目標画像を表示するための表示値を算出する場合と比較して、表示される目標色画像の色再現性を高くする。【解決手段】測色値変換部４１は、光輝性色材であるシルバートナーＳｉを含む複数のトナーのトナー量ＣＭＹＫＳｉ値を、この複数のトナーを用いて印刷した目標色画像を複数方向から測色した場合に得られる複数の測色値に変換する。表示値変換部４２は、測色値変換部４１により変換された３つの測色方向の測色値Ｌ*ａ*ｂ*（１５°）、Ｌ*ａ*ｂ*（４５°）、Ｌ*ａ*ｂ*（１１０°）を、表示装置４３上において目標色画像を表示するための表示値であるＲＧＢ値に変換する。【選択図】図４
2019050488.tif 000002
【特許請求の範囲】
【請求項１】
光輝性色材を含む複数の色材の色材量を、当該複数の色材を用いて印刷した目標色画像を複数方向から測色した場合に得られる複数の測色値に変換する第１の変換手段と、
前記第１の変換手段により変換された複数の測色値を、表示装置上において前記目標色画像を表示するための表示値に変換する第２の変換手段と、
を備えた画像処理装置。
【請求項２】
前記２の変換手段は、
測色方向および各色の表示値の組み合わせと、表示装置上で実際に測色された測色値とが対応付けられた表示装置用色変換モデルが記憶された記憶手段を有し、
前記第１の変換手段により変換された各測色方向の測色値と、前記表示装置用色変換モデルから得られる各測色方向の測色値とのそれぞれの色差の加重平均値が最小となるような表示値を決定する請求項１記載の画像処理装置。
【請求項３】
前記複数の測色値が、目標色画像に斜め方向から光を照射した場合に、前記目標色画像の法線方向である正面方向において測色された場合の測色値、および照射光に対する正反射方向において測色された場合の測色値を含み、
前記第２の変換手段は、
正反射方向の測色値の明度値が予め設定された閾値以上の場合に、正反射方向の測色値の重み付けが他の測色方向の測色値よりも相対的に大きくなるような重み付け係数を設定する重み付け係数設定手段をさらに有し、
前記重み付け係数設定手段により設定された重み付け係数を用いて、各測色方向における色差の加重平均値を算出する請求項２記載の画像処理装置。
【請求項４】
前記複数の測色値が、目標色画像に斜め方向から光を照射した場合に、前記目標色画像の法線方向である正面方向において測色された場合の測色値、および照射光に対する正反射方向において測色された場合の測色値を含み、
前記第２の変換手段は、前記正反射方向の測色値の明度値が大きいほど、得られる表示値の明度が、前記正面方向の測色値の明度よりもより高くなるように、前記第１の変換手段により変換された複数の測色値を、表示装置上において前記目標色画像を表示するための表示値に変換する、
請求項１記載の画像処理装置。
【請求項５】
前記第２の変換手段は、前記正反射方向の測色値の明度値が予め設定された閾値以上の場合、得られる表示値の明度が、前記正面方向の測色値の明度よりもより高くなるように、前記第１の変換手段により変換された複数の測色値を、表示装置上において前記目標色画像を表示するための表示値に変換する、
請求項４記載の画像処理装置。
【請求項６】
前記閾値が白紙の明度値である請求項３または５記載の画像処理装置。
【請求項７】
前記複数の測色値が、前記正面方向よりも照射光の入射方向に近い側の拡散光方向において測色された場合の測色値をさらに含む請求項１から６のいずれか記載の画像処理装置。
【請求項８】
前記第１の色変換手段は、測色方向および各色の色材の色材量の組み合わせと、印刷装置による実際の印刷結果において測色された測色値とが対応付けられた印刷装置用色変換モデルを用いることにより、前記光輝性色材を含む複数の色材の色材量を、当該複数の色材を用いて印刷した場合の目標色画像を複数方向から測色した場合に得られる複数の測色値に変換する請求項１から７のいずれか記載の画像処理装置。
【請求項９】
光輝性色材を含む複数の色材の色材量を、当該複数の色材を用いて印刷した目標色画像に斜め方向から光を照射した場合に、前記目標色画像の法線方向である正面方向において測色された場合の測色値、および照射光に対する正反射方向において測色された場合の測色値を含む複数の測色値に変換する第１の変換手段と、
前記正反射方向の測色値の明度値が大きいほど、得られる表示値の明度が正面方向の測色値の明度よりも大きくなるように、前記第１の変換手段により変換された正面方向の測色値を、表示装置上において前記目標色画像を表示するための表示値に変換する第２の変換手段と、
を備えた画像処理装置。
【請求項１０】
前記光輝性色材が、金属光沢色トナーである請求項１から９のいずれか記載の画像処理装置。
【請求項１１】
指示された表示値に基づいて画像を表示する表示装置と、
光輝性色材を含む複数の色材の色材量を、当該複数の色材を用いて印刷した目標色画像を複数方向から測色した場合に得られる複数の測色値に変換する第１の変換手段と、
前記第１の変換手段により変換された複数の測色値を、前記表示装置上において前記目標色画像を表示するための表示値に変換する第２の変換手段と、
前記第２の変換手段により変換された表示値に基づいて前記目標色画像を前記表示装置に表示するよう制御する表示制御手段と、
を備えた情報処理装置。
【請求項１２】
光輝性色材を含む複数の色材の色材量を、当該複数の色材を用いて印刷した目標色画像を複数方向から測色した場合に得られる複数の測色値に変換する第１の変換ステップと、
前記第１の変換ステップにおいて変換された複数の測色値を、表示装置上において前記目標色画像を表示するための表示値に変換する第２の変換ステップと、
をコンピュータに実行させるためのプログラム。
【発明の詳細な説明】
【技術分野】
【０００１】
本発明は、画像処理装置、情報処理装置およびプログラムに関する。
【背景技術】
【０００２】
特許文献１には、色合いのデータを装置非依存色空間として取り扱うことにより、シルバー色成分が増減された場合でも、色合いを保てるようにした画像処理装置が開示されている。
【０００３】
特許文献２には、与えられた色信号から該色信号の色を再現する場合のメタリック色の色材量の最大値を決定する最大量決定手段と、前記色信号の彩度が高いほど、メタリック色による見かけ上の色の変化に対して前記最大量決定手段で決定された最大値以下の範囲でメタリック色の色材量を減らす調整を行う調整手段と、前記色信号と前記調整手段で調整されたメタリック色の色材量とからメタリック色以外の色材量を決定する色材量決定手段を有することを特徴とする色処理装置が開示されている。
【先行技術文献】
【特許文献】
【０００４】
【特許文献１】特許第５９１５３０２号公報
【特許文献２】特許第５９２０５８０号公報
【発明の概要】
【発明が解決しようとする課題】
【０００５】
本発明の目的は、光輝性色材を含む複数の色材の色材量により印刷される目標色画像を表示装置上に表示させる際に、単一方向からの測色値を用いて目標画像を表示するための表示値を算出する場合と比較して、表示される目標色画像の色再現性を高くすることが可能な画像処理装置、情報処理装置およびプログラムを提供することである。
【課題を解決するための手段】
【０００６】
［画像処理装置］
請求項１に係る本発明は、光輝性色材を含む複数の色材の色材量を、当該複数の色材を用いて印刷した目標色画像を複数方向から測色した場合に得られる複数の測色値に変換する第１の変換手段と、
前記第１の変換手段により変換された複数の測色値を、表示装置上において前記目標色画像を表示するための表示値に変換する第２の変換手段とを備えた画像処理装置である。
【０００７】
請求項２に係る本発明は、前記２の変換手段が、
測色方向および各色の表示値の組み合わせと、表示装置上で実際に測色された測色値とが対応付けられた表示装置用色変換モデルが記憶された記憶手段を有し、
前記第１の変換手段により変換された各測色方向の測色値と、前記表示装置用色変換モデルから得られる各測色方向の測色値とのそれぞれの色差の加重平均値が最小となるような表示値を決定する請求項１記載の画像処理装置である。
【０００８】
請求項３に係る本発明は、前記複数の測色値が、目標色画像に斜め方向から光を照射した場合に、前記目標色画像の法線方向である正面方向において測色された場合の測色値、および照射光に対する正反射方向において測色された場合の測色値を含み、
前記第２の変換手段は、
正反射方向の測色値の明度値が予め設定された閾値以上の場合に、正反射方向の測色値の重み付けが他の測色方向の測色値よりも相対的に大きくなるような重み付け係数を設定する重み付け係数設定手段をさらに有し、
前記重み付け係数設定手段により設定された重み付け係数を用いて、各測色方向における色差の加重平均値を算出する請求項２記載の画像処理装置である。
【０００９】
請求項４に係る本発明は、前記複数の測色値が、目標色画像に斜め方向から光を照射した場合に、前記目標色画像の法線方向である正面方向において測色された場合の測色値、および照射光に対する正反射方向において測色された場合の測色値を含み、
前記第２の変換手段は、前記正反射方向の測色値の明度値が大きいほど、得られる表示値の明度が、前記正面方向の測色値の明度よりもより高くなるように、前記第１の変換手段により変換された複数の測色値を、表示装置上において前記目標色画像を表示するための表示値に変換する請求項１記載の画像処理装置である。
【００１０】
請求項５に係る本発明は、前記第２の変換手段が、前記正反射方向の測色値の明度値が予め設定された閾値以上の場合、得られる表示値の明度が、前記正面方向の測色値の明度よりもより高くなるように、前記第１の変換手段により変換された複数の測色値を、表示装置上において前記目標色画像を表示するための表示値に変換する請求項４記載の画像処理装置である。
【００１１】
請求項６に係る本発明は、前記閾値が白紙の明度値である請求項３または５記載の画像処理装置である。
【００１２】
請求項７に係る本発明は、前記複数の測色値が、前記正面方向よりも照射光の入射方向に近い側の拡散光方向において測色された場合の測色値をさらに含む請求項１から６のいずれか記載の画像処理装置である。
【００１３】
請求項８に係る本発明は、前記第１の色変換手段が、測色方向および各色の色材の色材量の組み合わせと、印刷装置による実際の印刷結果において測色された測色値とが対応付けられた印刷装置用色変換モデルを用いることにより、前記光輝性色材を含む複数の色材の色材量を、当該複数の色材を用いて印刷した場合の目標色画像を複数方向から測色した場合に得られる複数の測色値に変換する請求項１から７のいずれか記載の画像処理装置。
【００１４】
請求項９に係る本発明は、光輝性色材を含む複数の色材の色材量を、当該複数の色材を用いて印刷した目標色画像に斜め方向から光を照射した場合に、前記目標色画像の法線方向である正面方向において測色された場合の測色値、および照射光に対する正反射方向において測色された場合の測色値を含む複数の測色値に変換する第１の変換手段と、
前記正反射方向の測色値の明度値が大きいほど、得られる表示値の明度が正面方向の測色値の明度よりも大きくなるように、前記第１の変換手段により変換された正面方向の測色値を、表示装置上において前記目標色画像を表示するための表示値に変換する第２の変換手段とを備えた画像処理装置である。
【００１５】
請求項１０に係る本発明は、前記光輝性色材が、金属光沢色トナーである請求項１から９のいずれか記載の画像処理装置である。
【００１６】
[情報処理装置]
請求項１１に係る本発明は、指示された表示値に基づいて画像を表示する表示装置と、
光輝性色材を含む複数の色材の色材量を、当該複数の色材を用いて印刷した目標色画像を複数方向から測色した場合に得られる複数の測色値に変換する第１の変換手段と、
前記第１の変換手段により変換された複数の測色値を、前記表示装置上において前記目標色画像を表示するための表示値に変換する第２の変換手段と、
前記第２の変換手段により変換された表示値に基づいて前記目標色画像を前記表示装置に表示するよう制御する表示制御手段とを備えた情報処理装置である。
【００１７】
[プログラム]
請求項１２に係る本発明は、光輝性色材を含む複数の色材の色材量を、当該複数の色材を用いて印刷した目標色画像を複数方向から測色した場合に得られる複数の測色値に変換する第１の変換ステップと、
前記第１の変換ステップにおいて変換された複数の測色値を、表示装置上において前記目標色画像を表示するための表示値に変換する第２の変換ステップとをコンピュータに実行させるためのプログラムである。
【発明の効果】
【００１８】
請求項１に係る本発明によれば、光輝性色材を含む複数の色材の色材量により印刷される目標色画像を表示装置上に表示させる際に、単一方向からの測色値を用いて目標画像を表示するための表示値を算出する場合と比較して、表示される目標色画像の色再現性を高くすることが可能な画像処理装置を提供することができる。
【００１９】
請求項２に係る本発明によれば、光輝性色材を含む複数の色材の色材量により印刷される目標色画像を表示装置上に表示させる際に、単一方向からの測色値を用いて目標画像を表示するための表示値を算出する場合と比較して、表示される目標色画像の色再現性を高くすることが可能な画像処理装置を提供することができる。
【００２０】
請求項３に係る本発明によれば、光輝性色材を含む複数の色材の色材量により印刷される目標色画像を表示装置上に表示させる際に、単一方向からの測色値を用いて目標画像を表示するための表示値を算出する場合と比較して、表示される目標色画像の色再現性を高くすることが可能な画像処理装置を提供することができる。
【００２１】
請求項４に係る本発明によれば、正反射方向の明度が高い光輝性の強い目標色画像を表示装置上に表示させる場合に、表示される目標色画像の全体的な印象を色見本に近づけることが可能な画像処理装置を提供することができる。
【００２２】
請求項５に係る本発明によれば、正反射方向の明度が高い光輝性の強い目標色画像を表示装置上に表示させる場合に、表示される目標色画像の全体的な印象を色見本に近づけることが可能な画像処理装置を提供することができる。
【００２３】
請求項６に係る本発明によれば、正反射方向の明度が白紙の明度よりも大きな光輝性の強い目標色画像を表示装置上に表示させる場合に、表示される目標色画像の全体的な印象を色見本に近づけることが可能な画像処理装置を提供することができる。
【００２４】
請求項７に係る本発明によれば、表示装置上に表示される目標色画像の全体的な印象をより色見本に近づけることが可能な画像処理装置を提供することができる。
【００２５】
請求項８に係る本発明によれば、光輝性色材を含む複数の色材の色材量により印刷される目標色画像を表示装置上に表示させる際に、単一方向からの測色値を用いて目標画像を表示するための表示値を算出する場合と比較して、表示される目標色画像の色再現性を高くすることが可能な画像処理装置を提供することができる。
【００２６】
請求項９に係る本発明によれば、正反射方向の明度が高い光輝性の強い目標色画像を表示装置上に表示させる場合に、簡易的な構成により、表示される目標色画像の全体的な印象を色見本に近づけることが可能な画像処理装置を提供することができる。
【００２７】
請求項１０に係る本発明によれば、金属光沢色トナーを含む複数のトナーのトナー量により印刷される目標色画像を表示装置上に表示させる際に、単一方向からの測色値を用いて目標画像を表示するための表示値を算出する場合と比較して、表示される目標色画像の色再現性を高くすることが可能な画像処理装置を提供することができる。
【００２８】
請求項１１に係る本発明によれば、光輝性色材を含む複数の色材の色材量により印刷される目標色画像を表示装置上に表示させる際に、単一方向からの測色値を用いて目標画像を表示するための表示値を算出する場合と比較して、表示される目標色画像の色再現性を高くすることが可能な情報処理装置を提供することができる。
【００２９】
請求項１２に係る本発明によれば、光輝性色材を含む複数の色材の色材量により印刷される目標色画像を表示装置上に表示させる際に、単一方向からの測色値を用いて目標画像を表示するための表示値を算出する場合と比較して、表示される目標色画像の色再現性を高くすることが可能なプログラムを提供することができる。
【図面の簡単な説明】
【００３０】
【図１】本発明の第１の実施形態の印刷システムのシステム構成を示す図である。
【図２】画像形成装置１０の本体部内の構造を説明するための図である。
【図３】本発明の第１の実施形態の端末装置２０のハードウェア構成を示すブロック図である。
【図４】本発明の第１の実施形態の端末装置２０の機能構成を示すブロック図である。
【図５】色見本に基づく目標色画像を表示装置４３上において表示する様子を説明するための図である。
【図６】メタリック色の色見本のような見る方向で色味が変化するような画像を測色する際の様子を説明するための図である。
【図７】図４に示した測色値変換部４１の詳細な構成を説明するための図である。
【図８】色変換モデル記憶部６２に記憶されている色変換モデル（プリンタモデル）の作成方法を説明するための図である。
【図９】図４に示した表示値変換部４２の詳細な構成を説明するための図である。
【図１０】色変換モデル記憶部７３に記憶されている色変換モデル（モニタモデル）の作成方法を説明するための図である。
【図１１】色差の加重平均値ΔＥ（ＷＡＶＧ）の算出方法の具体例を説明するための図である。
【図１２】重み付け係数設定部７１における重み付け係数ｗ１、ｗ２、ｗ３の設定例を示すグラフの一例である。
【図１３】図１２に示した重み付け係数ｗ１、ｗ２、ｗ３の設定例を表により表すための図である。
【図１４】メタリック色でない通常画像の反射特性を説明するための図である。
【図１５】メタリック色でない通常画像とメタリック色の色見本画像との反射特性の違いを説明するための図である。
【図１６】メタリック色の色見本画像を表示装置上で表示させる場合に、正面方向（４５°）からの測色値のみに基づいてＲＧＢ値を算出した場合の問題点を説明するための図である。
【図１７】本発明の一実施形態により、正面方向（４５°）、正反射方向（１５°）、拡散光方向（１１０°）という複数の測色方向の測色値に基づいてＲＧＢ値を算出した場合の画像例を示す図である。
【図１８】本発明の第２の実施形態における画像処理装置４０ａの構成を説明するための図である。
【図１９】図１８に示した表示値変換部４２ａの詳細な構成を説明するための図である。
【図２０】重み付け係数設定部７４における重み付け係数Ｗの設定例を示す図である。
【図２１】５角度の測色方向により測定対象画像５０の測色を行う場合を説明するための図である。
【発明を実施するための形態】
【００３１】
次に、本発明の実施の形態について図面を参照して詳細に説明する。
【００３２】
[第１の実施形態]
図１は本発明の第１の実施形態の印刷システムの構成を示す図である。
【００３３】
本実施形態の印刷システムは、図１に示されるように、画像形成装置１０と、情報処理装置である端末装置２０とがネットワークにより接続された構成となっている。
【００３４】
本実施形態の画像形成装置１０は、図１に示されるように、業務用印刷に用いられるいわゆるプロダクションプリンタであり、高画質、高速な印刷処理を実行できるような機能を有している。
【００３５】
この画像形成装置１０の本体部内の構造を図２を参照して説明する。画像形成装置１０は、図２に示されるように、５つの画像形成ユニット２４を備えている。この５つの画像形成ユニット２４は、それぞれイエロー（Ｙ）、マゼンタ（Ｍ）、シアン（Ｃ）、ブラック（Ｋ）および特別色のトナーを用いて画像形成するように構成されている。
【００３６】
なお、特別色のトナーには、銀色のシルバートナー（Ｓｉ）、金色のゴールドトナー（Ｇ）、透明トナー、白色トナー等が存在し、この特別色のトナーの中から１つのトナーを選択して使用することが可能になっている。図２では、これらの特別色のトナーの中から、シルバートナー（Ｓｉ）を選択してセットした場合が示されている。
【００３７】
なお、本実施形態では、シルバートナー、ゴールドトナー等の光輝性（光沢性）を有するメタリック（金属光沢色）トナーを用いて画像を形成する場合において、メタリックトナーを含む各色のトナー量（色材量）を決定する場合について説明するものであるが、以下の説明ではシルバートナーを用いて画像を形成する場合を用いて説明する。
【００３８】
ここで、トナー量とは、記録媒体上の単位面積当たりに使用されるトナーの量、例えばトナー重量（ｇ／ｍ2）を意味するが、以下の説明では、単位面積、例えば１ピクセル当たり使用する各色トナーの量の最大値を１００％とした場合の、印刷する際に使用する各色のトナー量の割合を％で示した値（トナーカバレッジ）で表現する。
【００３９】
画像形成ユニット２４は、それぞれ、感光体ドラム、感光体ドラムの表面を一様に帯電する帯電装置、感光体ドラム上に形成された静電潜像を現像する現像装置等を有している。画像形成ユニット２４の感光体ドラムは、それぞれ、光走査装置２６により照射されたレーザ光により静電潜像が形成され、各色のトナーにより現像されて画像が形成される。
【００４０】
そして、画像形成ユニット２４において形成された各色の画像は、中間転写ベルト２２に転写された後に搬送されてきた印刷用紙上にさらに転写される。そして、印刷用紙上に転写されたトナー像は定着器２８により熱と圧力により印刷用紙上に定着される。
【００４１】
このようにして、光輝性を有するＳｉトナーを含むＣＭＹＫＳｉトナーを用いて画像を形成することにより、視認する方向により色味、明るさ等が変化する画像が形成される。
【００４２】
しかし、ＣＭＹＫＳｉトナーにより画像を形成する前に、形成される画像の色味を確認したい場合がある。例えば、これからＣＭＹＫＳｉトナーを用いて形成される画像をシミュレーションして端末装置２０のような情報処理装置のモニタ上に表示させたい場合がある。
【００４３】
しかし、モニタ等の表示装置ではＲＧＢ等の表示値によりそれぞれの画素の色が決定され、見る方向により色味や明るさ等が変化することはほとんど無い。
【００４４】
そのため、モニタ等の表示装置上で表示された画像を、ＣＭＹＫＳｉトナーを用いて画像形成装置１０により印刷した場合、印刷される画像と表示装置上の画像とでは目視の印象が大きく異なる場合がある。
【００４５】
特に、表示装置上の画像を表示させるためのＲＧＢ値を、光輝性を有する画像を単一方向から測色した場合の測色値に基づいて変換して生成した場合、表示装置上に表示される画像の色味および明るさは、単一方向から見た場合の明るさや色味と近づけることができるが、他の方向から見た場合の明るさや色味を再現することはできない。
【００４６】
特に光輝性を有する画像は、正反射方向から見た場合に明度が高くなるため、そのような光輝性を有する画像の単一方向から見た場合の色味や明るさを表示装置上で再現した場合、実際の画像よりも暗い印象となってしまう。
【００４７】
そのため、本実施形態の端末装置２０は、画像形成装置１０において印刷しようとするＣＭＹＫＳｉ値をＲＧＢ値に変換してモニタ等の表示装置上で表示する場合に、表示される画像の印象をより実際に印刷される画像に近づけることにより表示される画像の色再現性を高くするような処理を実現するものである。
【００４８】
次に、このような処理を実行する本実施形態の端末装置２０のハードウェア構成を図３に示す。
【００４９】
端末装置２０は、図３に示されるように、ＣＰＵ１１、メモリ１２、ハードディスクドライブ（ＨＤＤ）等の記憶装置１３、ネットワークを介して外部の装置等との間でデータの送信及び受信を行う通信インタフェース（ＩＦ）１４、タッチパネル又は液晶ディスプレイ並びにキーボードを含むユーザインタフェース（ＵＩ）装置１５を有する。これらの構成要素は、制御バス１６を介して互いに接続されている。
【００５０】
ＣＰＵ１１は、メモリ１２または記憶装置１３に格納された制御プログラムに基づいて所定の処理を実行して、端末装置２０の動作を制御する。なお、本実施形態では、ＣＰＵ１１は、メモリ１２または記憶装置１３内に格納された制御プログラムを読み出して実行するものとして説明したが、当該プログラムをＣＤ−ＲＯＭ等の記憶媒体に格納してＣＰＵ１１に提供することも可能である。
【００５１】
図４は、上記の制御プログラムが実行されることにより実現される端末装置２０の機能構成を示すブロック図である。
【００５２】
本実施形態の端末装置２０は、図４に示されるように、画像処理装置４０と、表示装置４３とを備えている。そして、画像処理装置４０は、測色値変換部４１と、表示値変換部４２とから構成されている。
【００５３】
表示装置４３は、指示されＲＧＢ値に基づいて画像を表示するための装置である。
【００５４】
画像処理装置４０は、画像形成装置１０から取得したＣＭＹＫＳｉ値（トナー量）をＲＧＢ値に変換して、表示装置４３上において表示する処理を行う。
【００５５】
例えば、画像処理装置４０は、図５に示すように、特色の色見本画像を印刷するためのＣＭＹＫＳｉ値を画像形成装置１０から取得してＲＧＢ値に変換することにより、この色見本画像に基づく目標色画像を表示装置４３上に表示させるような処理を行う。
【００５６】
なお、特色の色見本画像としては、例えば、ＰＡＮＴＯＮＥ（登録商標）社などから提供されているメタリック色の各種の色見本画像が用いられる。
【００５７】
測色値変換部４１は、光輝性色材であるシルバートナーＳｉを含む複数のトナーのトナー量ＣＭＹＫＳｉ値を、この複数のトナーを用いて印刷した目標色画像を複数方向から測色した場合に得られる複数の測色値に変換する。
【００５８】
具体的には、測色値変換部４１は、入力されたＣＭＹＫＳｉ値を、そのＣＭＹＫＳｉ値に基づいて印刷された目標色画像を、３つの測色方向（１５°、４５°、１１０°）から測色した場合に得られる３つの測色値Ｌ*ａ*ｂ*（１５°）、Ｌ*ａ*ｂ*（４５°）、Ｌ*ａ*ｂ*（１１０°）に変換する。
【００５９】
そして、表示値変換部４２は、測色値変換部４１により変換された３つの測色方向の測色値Ｌ*ａ*ｂ*（１５°）、Ｌ*ａ*ｂ*（４５°）、Ｌ*ａ*ｂ*（１１０°）を、表示装置４３上において目標色画像を表示するための表示値であるＲＧＢ値に変換する。
【００６０】
なお、測色値変換部４１により測色値が生成される測色方向の詳細について図６を参照して説明する。
【００６１】
図６は、メタリック色の色見本のような見る方向で色味が変化するような画像を測色する際の様子を説明するための図である。
【００６２】
図６では、測定対象画像５０を３角度の測色方向（１５°、４５°、１１０）から測色する場合の様子が示されている。具体的には、光源５２からの照射光を目標対象画像５０に対して斜め４５°方向から照射して、正反射方向を０°（基準方向）とした場合に、１５°、４５°、１１０°方向において測色装置５４により測色する様子が示されている。
【００６３】
なお、図６において４５°方向は、測定対象画像５０の正面方向（法線方向）となっている。また、１５°方向は測定対象画像５０の正反射光を測色するための正反射方向となっている。なお、正反射光を測色するための正反射方向を０°方向とせずに、１５°ずらしているのは、０°方向において測色したのでは正反射光が直接測色装置５４に入射されてしまい、測定対象の色味が測色できないからである。
【００６４】
そして、図６では、１１０°方向を測定対象画像５０からの拡散光を測色するための拡散光方向として設定している。
【００６５】
なお、本実施形態では、測色値変換部４１は、入力されたＣＭＹＫＳｉ値を、３つの測色方向から測色した場合の測色値に変換しているが、少なくとも２方向、例えば、正面方向（４５°）と、正反射方向（１５°）からの測色値に変換するような場合でも本発明は同様に適用可能である。
【００６６】
次に、この測色値変換部４１の詳細な構成について図７を参照して説明する
【００６７】
測色値変換部４１は、図７に示されるように、多角度測色値算出部６１と、色変換モデル記憶部６２とから構成されている。
【００６８】
色変換モデル記憶部６２は、測色方向および各色トナーのトナー量の組み合わせと、印刷装置による実際の印刷結果において測色された測色値とが対応付けられた色変換モデル（（Ｌ*、ａ*、ｂ*）＝ｇ（Ｃ、Ｍ、Ｙ、Ｋ、Ｓｉ、θ））を記憶する。この色変換モデルは、印刷装置による印刷結果をシミュレーションするためのものでありプリンタモデル（印刷装置用色変換モデル）と呼ばれる。
【００６９】
多角度測色値算出部６１は、色変換モデル記憶部６２に記憶されている色変換モデルを用いることにより、シルバートナーを含む複数のトナーのトナー量ＣＭＹＫＳｉを、この複数のトナーを用いて印刷した場合の目標色画像を３つの測色方向から測色した場合に得られる複数の測色値Ｌ*ａ*ｂ*（１５°）、Ｌ*ａ*ｂ*（４５°）、Ｌ*ａ*ｂ*（１１０°）に変換する。
【００７０】
次に、この色変換モデル記憶部６２に記憶されている色変換モデルの作成方法を図８を参照して説明する。
【００７１】
先ず、様々な組み合わせのＣ、Ｍ、Ｙ、Ｋ、Ｓｉ値により色票（パッチ）画像を出力する。そして、それぞれの色票に対して図６に示したような測色方法により、３角度の測色方向（１５°、４５°、１１０°）により測色を行う。その結果、それぞれの色票について、Ｌ*ａ*ｂ*（１５°）、Ｌ*ａ*ｂ*（４５°）、Ｌ*ａ*ｂ*（１１０°）という測色値が得られることになる。
【００７２】
そして、これらの値に基づいて、（Ｃ、Ｍ、Ｙ、Ｋ、Ｓｉ、θ（測色方向））を入力することにより色値（Ｌ*、ａ*、ｂ*）が得られるような色変換モデルを作成する。
【００７３】
具体的には、予め様々なＣ、Ｍ、Ｙ、Ｋ、Ｓｉ、θの値の組み合わせによって再現される色を測色してＬ*ａ*ｂ*値を取得することにより、複数の（Ｃ、Ｍ、Ｙ、Ｋ、Ｓｉ、θ）と（Ｌ*，ａ*，ｂ*）の組が得られる。この組を用いることにより（Ｌ*、ａ*、ｂ*）＝ｇ（Ｃ、Ｍ、Ｙ、Ｋ、Ｓｉ、θ）なる関数関係が得られるので、これを色変換モデルとすればよい。この色変換モデルを用いることにより、各色のトナー量ＣＭＹＫＳｉと、測色方向θが与えられると、予測される色値Ｌ*ａ*ｂ*を求めることができる。なお、この色変換モデルに用いる関数としては、重回帰式、ニューラルネットワーク、ダイレクトルックアップテーブルを用いた補間など、色変換モデルとして一般的な関数を用いることができる。
【００７４】
このようにして、（Ｌ*、ａ*、ｂ*）＝ｇ（Ｃ、Ｍ、Ｙ、Ｋ、Ｓｉ、θ）という関数により表現される色変換モデル（プリンタモデル）が作成され、作成された色変換モデルは色変換モデル記憶部６２に記憶される。
【００７５】
次に、図４に示した表示値変換部４２の詳細な構成について図９を参照して説明する
【００７６】
表示値変換部４２は、図９に示されるように、重み付け係数設定部７１と、ＲＧＢ値算出部７２と、色変換モデル記憶部７３とから構成されている。
【００７７】
色変換モデル記憶部７３は、測色方向および各色の表示値であるＲＧＢ値の組み合わせと、表示装置４３上で実際に測色された測色値とが対応付けられた色変換モデル（Ｌ*、ａ*、ｂ*）＝ｆ（Ｒ、Ｇ、Ｂ、θ）を記憶している。この色変換モデルは、表示装置による表示結果をシミュレーションするためのものでありモニタモデル（表示装置用色変換モデル）と呼ばれる。
【００７８】
ここで、この色変換モデル記憶部７３に記憶されている色変換モデルの作成方法を図１０を参照して説明する。
【００７９】
先ず、様々な組み合わせのＲ、Ｇ、Ｂ値による色票（パッチ）画像を表示装置４３上に表示させる。そして、表示されたそれぞれの色票に対して図６に示したような測色方法により、３角度の測色方向（１５°、４５°、１１０°）により測色を行う。その結果、それぞれの色票について、Ｌ*ａ*ｂ*（１５°）、Ｌ*ａ*ｂ*（４５°）、Ｌ*ａ*ｂ*（１１０°）という測色値が得られることになる。
【００８０】
なお、実際にはモニタ画面上に表示された画像を測色する場合、測色方向が変化しても、得られる測色値はあまり変化しない。そのため、簡易的には、Ｌ*ａ*ｂ*（１５°）＝Ｌ*ａ*ｂ*（４５°）＝Ｌ*ａ*ｂ*（１１０°）とするようにしても良い。
【００８１】
そして、これらの値に基づいて、（Ｒ、Ｇ、Ｂ、θ（測色方向））を入力することにより色値（Ｌ*、ａ*、ｂ*）が得られるような色変換モデルを作成する。
【００８２】
具体的には、予め様々なＲ、Ｇ、Ｂ、θの値の組み合わせによって再現される色を測色してＬ*ａ*ｂ*値を取得することにより、複数の（Ｒ、Ｇ、Ｂ、θ）と（Ｌ*，ａ*，ｂ*）の組が得られる。この組を用いることにより（Ｌ*、ａ*、ｂ*）＝ｆ（Ｒ、Ｇ、Ｂ、θ）なる関数関係が得られるので、これを色変換モデルとすればよい。この色変換モデルを用いることにより、表示値であるＲＧＢ値と、測色方向θが与えられると、予測される色値Ｌ*ａ*ｂ*を求めることができる。なお、この色変換モデルに用いる関数としては、重回帰式、ニューラルネットワーク、ダイレクトルックアップテーブルを用いた補間など、色変換モデルとして一般的な関数を用いることができる。
【００８３】
このようにして、（Ｌ*、ａ*、ｂ*）＝ｆ（Ｒ、Ｇ、Ｂ、θ）という関数により表現される色変換モデル（モニタモデル）が作成され、作成された色変換モデルは色変換モデル記憶部７３に記憶される。
【００８４】
ＲＧＢ値算出部７２は、測色値変換部４１により変換された３方向の測色方向の測色値と、色変換モデル記憶部７３に記憶されている色変換モデル（モニタモデル）から得られる各測色方向の測色値とのそれぞれの色差の加重平均（重み付け平均）値ΔＥ（ＷＡＶＧ）を算出し、算出された色差の加重平均値ΔＥ（ＷＡＶＧ）が最小となるようなＲＧＢ値を決定する。
【００８５】
この色差の加重平均値ΔＥ（ＷＡＶＧ）の算出方法の具体例について図１１を用いて説明する。図１１に示すように、各測色方向における色差の加重平均値ΔＥ（ＷＡＶＧ）＝｛ｗ１×（（Ｌ*ａ*ｂ*（１５°）とｆ（Ｒ、Ｇ、Ｂ、１５°）との色差）＋ｗ２×（（Ｌ*ａ*ｂ*（４５°）とｆ（Ｒ、Ｇ、Ｂ、４５°）との色差）＋ｗ３×（（Ｌ*ａ*ｂ*（１１０°）とｆ（Ｒ、Ｇ、Ｂ、１１０°）との色差）｝／（ｗ１＋ｗ２＋ｗ３）という式により加重平均値の算出を行う。
【００８６】
ここで、ｗ１、ｗ２、ｗ３は、それぞれ、正反射方向（１５°）の重み付け係数、正面方向（４５°）の重み付け係数、拡散光射方向（１１０°）の重み付け係数であり、重み付け係数設定部７１により設定される。
【００８７】
例えば、各測色方向における色差をそれぞれ同じ重み付けで扱う場合には、重み付け係数としてｗ１＝ｗ２＝ｗ３＝１とすれば良い。この場合には、色差の加重平均値ΔＥ（ＷＡＶＧ）は単純平均値となる。
【００８８】
なお、色値Ｐ＝（Ｌ1*、ａ1*、ｂ1*）と、色値Ｑ＝（Ｌ2*、ａ2*、ｂ2*）との色差ΔＥ（ＰＱ）は下記の計算式により算出される。
ΔＥ（ＰＱ）＝（（Ｌ1*−Ｌ2*）2＋（ａ1*−ａ2*）2＋（ｂ1*−ｂ2*）2）1/2
【００８９】
なお、ＲＧＢ値算出部７２は、この色差の加重平均値ΔＥ（ＷＡＶＧ）が最小となるＲＧＢ値を算出する際の具体的な方法としては、例えばシンプレックス法やニュートン法などの非線形方程式の数値解法を適用して最適化問題を解決する一般的な方法を用いることができる。
【００９０】
ここで、本実施形態では、３方向の測色方向の測色値が、目標色画像に斜め方向から光を照射した場合に、目標色画像の法線方向である正面方向において測色された場合の測色値Ｌ*ａ*ｂ*（４５°）、照射光に対する正反射方向において測色された場合の測色値Ｌ*ａ*ｂ*（１５°）、および拡散光方向において測色された場合の測色値Ｌ*ａ*ｂ*（１１０°）である場合を用いて説明している。
【００９１】
そして、重み付け係数設定部７１は、正反射方向の測色値Ｌ*ａ*ｂ*（１５°）の明度値（Ｌ*）に基づいて、３方向の測色方向の測色値Ｌ*ａ*ｂ*（１５°、４５°、１１０°）の加重平均値を算出する際に用いられる重み付け係数ｗ１、ｗ２、ｗ３を設定する。
【００９２】
具体的には、重み付け係数設定部７１は、正反射方向の測色値Ｌ*ａ*ｂ*（１５°）の明度値（Ｌ*）が予め設定された閾値以上の場合に、正反射方向の測色値Ｌ*ａ*ｂ*（１５°）の重み付けが他の測色方向の測色値Ｌ*ａ*ｂ*（４５°、１１０°）よりも相対的に大きくなるような重み付け係数ｗ１、ｗ２、ｗ３を設定する。
【００９３】
この重み付け係数設定部７１における重み付け係数ｗ１、ｗ２、ｗ３の設定例を図１２および図１３に示す。
【００９４】
図１２に示した重み付け係数の設定例のグラフでは、測色方向が１５°、４５°の重み付け係数ｗ１、ｗ２については変化させずに、測色方向が１１０°の重み付け係数ｗ３を、正反射方向の明度値Ｌ*（１５°）が大きくなるについて小さくなるように設定する場合が示されている。
【００９５】
具体的には、重み付け係数ｗ１、ｗ２については正反射方向の明度値Ｌ*（１５°）に関係なく常に１となっているが、重み付け係数ｗ３については、正反射方向の明度値Ｌ*（１５°）が１００以下の場合には１であるが、１００〜１４０の間は１から０まで徐々に減り、１４０以上の場合には０となるような設定となっている。
【００９６】
なお、図１２に示した重み付け係数ｗ１、ｗ２、ｗ３の設定例を表により表したものを図１３に示す。
【００９７】
図１２、図１３では、重み付け係数ｗ３が正反射方向の明度値Ｌ*（１５°）によって変化するような設定例を用いて説明したが、重み付け係数ｗ２、ｗ３を変化させずに、重み付け係数ｗ１が正反射方向の明度値Ｌ*（１５°）が大きくなるにつれて大きくなるような設定とすることも可能である。なお、この場合には重み付け係数ｗ１の値は、１．１、１．２、・・・というように１よりも大きくなる。
【００９８】
つまり、正反射方向の明度値（Ｌ*）が大きくなるにつれて、正反射方向の測色値Ｌ*ａ*ｂ*（１５°）の重み付け係数ｗ１が他の測色方向の測色値Ｌ*ａ*ｂ*（４５°、１１０°）の重み付け係数ｗ２、ｗ３よりも相対的に大きくなるような設定が行われるようにすれば良い。
【００９９】
ＲＧＢ値算出部７２は、重み付け係数設定部７１により設定された重み付け係数ｗ１、ｗ２、ｗ３を用いて、各測色方向における色差の加重平均値を算出し、算出された加重平均値が最小となるようなＲＧＢ値を決定する。
【０１００】
そして、上記で説明したような重み付け係数ｗ１、ｗ２、ｗ３の設定が行われることにより、ＲＧＢ値算出部７２は、正反射方向の測色値Ｌ*ａ*ｂ*（１５°）の明度値（Ｌ*（１５°））が大きいほど、得られるＲＧＢ値の明度が、正面方向の測色値Ｌ*ａ*ｂ*（４５°）の明度よりもより高くなるように、測色値変換部４１により変換された３方向の測色方向における測色値Ｌ*ａ*ｂ*（１５°、４５°、１１０°）を、表示装置４３上において目標色画像を表示するためのＲＧＢ値に変換する。
【０１０１】
具体的には、ＲＧＢ値算出部７２は、正反射方向の測色値Ｌ*ａ*ｂ*（１５°）の明度値（Ｌ*（１５°））が予め設定された閾値以上の場合、得られるＲＧＢ値の明度が、正面方向の測色値Ｌ*ａ*ｂ*（４５°）の明度よりもより高くなるように、測色値変換部４１により変換された３方向の測色方向における測色値Ｌ*ａ*ｂ*（１５°、４５°、１１０°）を、表示装置４３上において目標色画像を表示するためのＲＧＢ値に変換する。
【０１０２】
別な表現をすると、ＲＧＢ値算出部７２は、正反射方向の測色値Ｌ*ａ*ｂ*（１５°）の明度値（Ｌ*（１５°））が大きいほど、得られるＲＧＢ値の明度が、３方向の測色方向における測色値Ｌ*ａ*ｂ*（１５°、４５°、１１０°）を平等に扱った場合の明度よりも大きくなるように、３つの測色値Ｌ*ａ*ｂ*（１５°、４５°、１１０°）を、表示装置４３上において目標色画像を表示するためのＲＧＢ値に変換する。
【０１０３】
つまり、正反射方向の明度値Ｌ*（１５°）が大きくなるに従って、他の測色方向の測色値よりも明度値が大きな正反射方向の測色値Ｌ*ａ*ｂ*（１５°）の重み付けを大きくしてＲＧＢ値の算出が行われるようにすることにより、得られるＲＧＢ値の明度値も正反射方向の明度値Ｌ*（１５°）が大きくなるに従ってより大きくなる。
【０１０４】
なお、図１２、図１３に示した重み付け係数の設定例では、正反射方向の明度値Ｌ*（１５°）が１００を超えると、拡散光方向の重み付け係数ｗ３が小さくなるように設定されていたが、この明度値（１００）は、一般的な白紙（白色紙）の明度値の近傍の値に設定される。これは、正反射方向の明度値Ｌ*（１５°）が白紙の明度値を超える場合に、人間は金属光沢感を感じるからであると考えられる。明度値（１００）については、白紙の明度値である９０〜９６以上に設定し、完全拡散面の明度値である１００<に設定することが望ましい。また、ＲＧＢ算出部７２は、白紙の明度値を閾値として、正反射方向の明度値Ｌ*（１５°）の大きさにより、重み付け係数ｗ１、ｗ２、ｗ３の大きさを変化させている。
【０１０５】
このような処理を行うことにより、白紙の明度よりも大きな明度の目標色画像については、正反射方向の測色値の重み付けを大きくすることにより、全ての測色値を平等（同じ重み付け）に扱って得られる明度よりも明るい明度となるようにしている理由を以下に説明する。
【０１０６】
先ず、メタリック色でない通常画像の反射特性を図１４を参照して説明する。メタリック色でない通常画像の反射特性は図１４に示すようになっており、正反射方向の光量は他方向よりも大きくなっているが、正反射方向以外の他の方向の拡散光の光量はほぼ同じとなっているのが分かる。そのため、通常の測色方法では、光源５２からの照射光を斜め方向で測定対象画像５０に照射して、正面方向（４５°）における色値を測色装置５４により測色している。
【０１０７】
次に、メタリック色でない通常画像とメタリック色の色見本画像との反射特性の違いを図１５を参照して説明する。
【０１０８】
メタリック色の色見本画像と通常画像とでは、反射特性の違いにより、メタリック色の色見本画像では、通常画像に対して、正反射方向（１５°）の明度が高く、拡散光方向（１１０°）の明度が低くなっている。
【０１０９】
そのため、メタリック色の色見本画像を正反射方向（１５°）から見た場合の明度は、メタリック色でない通常画像の明度と比較して高くなる。しかし、メタリック色の色見本画像でも通常画像でも正面方向（４５°）から見た場合の明度差はあまり大きくはない。つまり、メタリック色の色見本画像の正反射方向（１５°）の明度と正面方向（４５°）の明度差は、通常画像の場合と比較して大きくなる。
【０１１０】
このような理由により発生する、メタリック色の色見本画像を表示装置上で表示させる場合に、正面方向（４５°）からの測色値のみに基づいて、ＲＧＢ値を算出した場合の問題点を図１６を参照して説明する。
【０１１１】
図１６を参照すると、実際の色見本画像を見た場合の明度は正面方向（４５°）と正反射方向（１５°）とで大きくなっているのが分かる。特に明度が高い階調１〜３では、正面方向（４５°）と正反射方向（１５°）とで明度が大きく異なっている。
【０１１２】
そして、正面方向（４５°）の測色値のみを用いて、色見本画像を再現するための目標色画像を表示装置上に表示させた場合、正面方向（４５°）から見た場合の明度と近い画像を再現することは可能だが、正反射方向（１５°）から見た場合の明度と比較すると暗くなっているのが分かる。
【０１１３】
特に、モニタ等の表示装置では、表示される画像の色味、明度等は見る方向によってほとんど変化しないため、表示装置上に表示された画像の色味、明度等はどの方向から見てもほとんど同じとなる。
【０１１４】
そのため、見る方向によって明度が変化する色見本画像と、表示装置上の目標色画像とを比較した場合、表示装置上の目標色画像は明度が低いという印象をユーザに与えることになる。
【０１１５】
しかし、図１７に示すように、本実施形態では、正面方向（４５°）だけでなく、正面方向（４５°）、正反射方向（１５°）、拡散光方向（１１０°）という複数の測色方向の測色値に基づいて、ＲＧＢ値を算出していることにより、正面方向（４５°）の測色値のみを用いる場合と比較して、算出されるＲＧＢ値の画像の明度が高くなる。
【０１１６】
その結果、本実施形態の変換方向により得られたＲＧＢ値に基づいて表示装置４３に表示される目標色画像は、実際の色見本画像と比較した場合でも、ユーザが受ける印象はより近いものとなる。
【０１１７】
特に、本実施形態の変換方法では、正反射方向の明度値Ｌ*（１５°）が１００以上の場合（階調１〜３）には、さらに正反射方向（１５°）の重み付けを大きくしていることにより、算出されるＲＧＢ値の画像の明度はより高くなる。
【０１１８】
そして、白紙の明度よりも大きな明度の目標色画像については、正面方向（４５°）の明度よりも正反射方向（１５°）の明度との差が大きくなり易く、正面方向（４５°）の測色値のみに基づいて表示装置４３上に表示させるためのＲＧＢ値を算出したのでは、ユーザが実際の色見本画像と、表示装置４３上に表示された目標色画像とを見比べた場合、表示装置４３上に表示された目標色画像が暗いとの印象を持つ可能性が高い。
【０１１９】
そのため、白紙の明度よりも大きな明度の目標色画像については、単に測色方向が異なる複数の測色値を平等に扱ってＲＧＢ値を算出するのではなく、正反射方向（１５°）の測色値の重み付けを大きくして、得られる画像の明度が高くなるようなＲＧＢ値が算出されるようにしている。その結果、ユーザが実際の色見本画像と、表示装置４３上に表示された目標色画像とを見比べた場合の印象が近づくことになる。
【０１２０】
[第２の実施形態]
次に、本発明の第２の実施形態の印刷システムについて説明する。
【０１２１】
本実施形態の印刷システムは、上記で説明した第１の実施形態の印刷システムに対して、端末装置２０における画像処理装置４０が、図１８に示す画像処理装置４０ａに置き換えられた構成となっている。
【０１２２】
そして、画像処理装置４０ａは、図１８に示されるように、測色値変換部４１ａと、表示値変換部４２ａとから構成されている。
【０１２３】
本実施形態における測色値変換部４１ａは、入力されたＣＭＹＫＳｉ値を、そのＣＭＹＫＳｉ値に基づいて印刷された目標色画像を、正反射方向から測色した場合に得られる測色値Ｌ*ａ*ｂ*（１５°）、および正面方向から測色した場合に得られる測色値Ｌ*ａ*ｂ*（４５°）に変換する。
【０１２４】
また、表示値変換部４２ａは、正反射方向の測色値の明度値Ｌ*（１５°）が大きいほど、得られるＲＧＢ値の明度が正面方向の測色値の明度よりも大きくなるように、測色値変換部４１ａにより変換された正面方向の測色値Ｌ*ａ*ｂ*（４５°）を、表示装置４３上において目標色画像を表示するためのＲＧＢ値に変換する。
【０１２５】
次に、図１８に示した表示値変換部４２ａの詳細な構成について図１９を参照して説明する
【０１２６】
表示値変換部４２ａは、図９に示されるように、重み付け係数設定部７４と、Ｌ*ａ*ｂ*→ＲＧＢ変換部７５と、ＲＧＢ値修正部７６とから構成されている。
【０１２７】
重み付け係数設定部７４は、正反射方向の測色値の明度値（Ｌ*（１５°））が予め設定された閾値、例えば１００（白紙の明度値）以上の場合に、値が１よりも徐々に小さくなるような重み付け係数Ｗを設定する。
【０１２８】
この重み付け係数設定部７４における重み付け係数Ｗの設定例を図２０に示す。
【０１２９】
図２０を参照すると、重み付け係数Ｗは正反射方向の明度値（Ｌ*（１５°））が、白紙の明度値である１００以下の場合には１であるが、１００を超えると徐々に小さな値になっているのが分かる。
【０１３０】
Ｌ*ａ*ｂ*→ＲＧＢ変換部７５は、入力された正面方向の測色値Ｌ*ａ*ｂ*（４５°）をＲＧＢ値（Ｒ1、Ｇ1、Ｂ1）に変換する。
【０１３１】
ＲＧＢ値修正部７６は、重み付け係数設定部７４により設定された重み付け係数Ｗにより、Ｌ*ａ*ｂ*→ＲＧＢ変換部７５からのＲＧＢ値（Ｒ1、Ｇ1、Ｂ1）を修正する。具体的には、ＲＧＢ値修正部７６は、下記のような演算を行うことによりＲＧＢ値（Ｒ1、Ｇ1、Ｂ1）を修正して、表示装置４３において目標色画像を表示するためのＲＧＢ値として出力する。
【０１３２】
Ｒ＝Ｒ1／Ｗ
Ｇ＝Ｇ1／Ｗ
Ｂ＝Ｂ1／Ｗ
【０１３３】
本実施形態の画像処理装置４０ａにおける表示値変換部４２ａでは、上記で説明した第１の実施形態における表示値変換部４２のように、色変換モデル（モニタモデル）を作成して格納しておくようなことが不要となる。また、表示値変換部４２ａでは、表示装置４３に出力するためのＲＧＢ値を算出する際の演算も、上記で示したような単純な除算を行うだけでよいため、処理負荷も軽くなる。その結果、本発明における表示値変換部４２ａは、第１の実施形態における表示値変換部４２と比較して、簡易な構成で実現される。
【０１３４】
[変形例]
なお、上記の実施形態では、測色値が、少なくとも明度情報を含む表色系であるＣＩＥ  Ｌ*ａ*ｂ*色空間により表現されている場合を用いて説明しているが、Ｌ*ｃ*ｈ表色系のような明度情報を含む表色系であれば他の色空間により表現されている表色系を用いることも可能である。
【０１３５】
また、上記の実施形態では、シルバートナーを含む各色のトナー量を、正反射方向（１５°）、正面方向（４５°）、拡散光方向（１１０°）の３角度の測色方向の測色値に変換して、表示装置４３に表示するためのＲＧＢ値を算出する場合について説明したが、本発明はこのような場合に限定されるものではない。シルバートナーを含む各色のトナー量を、３角度以上の４角度、５角度等の多角度の測色方向の測色値に変換して、表示装置４３に表示するためのＲＧＢ値を算出するような構成とすることも可能である。例えば、正反射方向（１５°）、正反射方向（２５°）、正面方向（４５°）、拡散光方向（７５°）、拡散光方向（１１０°）の５角度の測色方向により測定対象画像５０の測色を行う場合を図２１に示す。
【０１３６】
この図２１に示したような測色方法により得られた５角度の測色方向の測色値を用いても、上記で説明したのと同様な方法により表示装置４３上に目標色画像を表示するためのＲＧＢ値を算出することが可能である。
【０１３７】
つまり、測色値変換部４１は、入力されたＣＭＹＫＳｉ値を、正反射方向（１５°）、正面方向（４５°）、拡散反射方向（１１０°）の測色値に加えて、正面方向（４５°）よりも正反射方向（１５°）に近い方向（２５°）において測色された場合の目標色画像の測色値や、正面方向（４５°）と光源５２による照射方向との間における拡散光方向（１１０°）において測色された場合の目標色画像の測色値に変換するようにしても良い。そして、表示変換部４２は、このような複数の測色方向の測色値を用いて、表示装置４３上に目標色画像を表示するためのＲＧＢ値を算出するようにすれば良い。
【０１３８】
さらに、上記実施形態では、シルバートナー、ゴールドトナー等のメタリック（金属光沢色）トナーを用いて印刷を行う画像形成装置に対して適用した場合を用いて説明したが、本発明はこれに限定されるものではなく、トナー以外の色材であってもパール色材等の見る方向により色味が異なるような光輝性色材を用いて印刷を行う場合であれば同様に本発明を適用することができるものである。
【０１３９】
また、上記実施形態では、シルバートナーＳｉを含む複数色トナーＣＭＹＫＳiにより印刷される目標色画像を表示装置上にシミュレーションさせて表示させる場合を用いて説明したが、本発明はこれに限定されるものではない。ＣＭＹＫＳi値により表された画像を、ＣＭＹＫトナーのような基本色トナーのみを用いるプリンタによりシミュレーションさせて印刷する場合でも同様に適用可能である。
【０１４０】
この場合には、表示値変換部４２の替りに、複数の測色方向の測色値Ｌ*ａ*ｂ*（１５°、４５°、１１０°）に基づいてＣＭＹＫ値を算出するような変換部を設けるようにすれば良い。そして、この変換部では、モニタモデルとしての色変換モデルの替りに、基本色トナーＣＭＹＫのみに基づいて印刷を行う印刷装置に基づいて生成したプリンタモデルを用いて、複数の測色方向の測色値をＣＭＹＫ値に変換するような処理が行われるようにすれば良い。
【０１４１】
なお、表示値変換部４２により得られたＲＧＢ値を再度Ｌ*ａ*ｂ*値に変換して、このＬ*ａ*ｂ*値をＣＭＹＫ値に変換することにより、基本色トナーのみを用いるプリンタによりＣＭＹＫＳｉ値により表現された目標色画像の印刷をシミュレーションするような構成とすることも可能である。
【０１４２】
さらに、上記の第１および第２の実施形態おいて説明した測色変換部４１と表示値変換部４２、または測色変換部４１ａと表示値変換部４２ａの変換処理内容をまとめて、ＣＭＹＫＳｉ値を入力してＲＧＢ値を出力するような５入力３出力のルックアップテーブルを生成するようにしておいても良い。
【符号の説明】
【０１４３】
１０    画像形成装置
１１    ＣＰＵ
１２    メモリ
１３    記憶装置
１４    通信インタフェース（ＩＦ）
１５    ユーザインタフェース（ＵＩ）装置
１６    制御バス
２０    端末装置
２２    中間転写ベルト
２４    画像形成ユニット
２６    光走査装置
２８    定着器
４０、４０ａ    画像処理装置
４１、４１ａ    測色値変換部
４２、４２ａ    表示値変換部
４３    表示装置
５０    測定対象画像
５２    光源
５４    測色装置
６１    多角度測色値算出部
６２    色変換モデル記憶部
７１    重み付け係数設定部
７２    ＲＧＢ値算出部
７３    色変換モデル記憶部
７４    重み付け係数設定部
７５    Ｌ*ａ*ｂ*→ＲＧＢ変換部
７６    ＲＧＢ値修正部
【図１】
2019050488.tif 000003
【図２】
2019050488.tif 000004
【図３】
2019050488.tif 000005
【図４】
2019050488.tif 000006
【図５】
2019050488.tif 000007
【図６】
2019050488.tif 000008
【図７】
2019050488.tif 000009
【図８】
2019050488.tif 000010
【図９】
2019050488.tif 000011
【図１０】
2019050488.tif 000012
【図１１】
2019050488.tif 000013
【図１２】
2019050488.tif 000014
【図１３】
2019050488.tif 000015
【図１４】
2019050488.tif 000016
【図１５】
2019050488.tif 000017
【図１６】
2019050488.tif 000018
【図１７】
2019050488.tif 000019
【図１８】
2019050488.tif 000020
【図１９】
2019050488.tif 000021
【図２０】
2019050488.tif 000022
【図２１】
2019050488.tif 000023
【手続補正書】
【提出日】平成30年2月2日(2018.2.2)
【手続補正１】
【補正対象書類名】明細書
【補正対象項目名】０１３７
【補正方法】変更
【補正の内容】
【０１３７】
つまり、測色値変換部４１は、入力されたＣＭＹＫＳｉ値を、正反射方向（１５°）、正面方向（４５°）、拡散反射方向（１１０°）の測色値に加えて、正面方向（４５°）よりも正反射方向（１５°）に近い方向（２５°）において測色された場合の目標色画像の測色値や、正面方向（４５°）と光源５２による照射方向との間における拡散光方向（７５°）において測色された場合の目標色画像の測色値に変換するようにしても良い。そして、表示変換部４２は、このような複数の測色方向の測色値を用いて、表示装置４３上に目標色画像を表示するためのＲＧＢ値を算出するようにすれば良い。